(57)【要約】      （修正有）【課題】靴の中の底部の防振減圧緩衝構造を提供する。【解決手段】靴の中の底部に凹部１１１が設けられる靴本体１と、靴本体の内底部の凹部１１１に設けられるものであって、上層板２１と、下層板２２と、複数の内部スプリング２３と、複数の外部スプリング２４とを含む緩衝器２と、を具備し、上層板２１下方および下層板２２上方の中央にはそれぞれ対応した上、下接続ブロック２１０、２２０が設けられ、上層板２１下方および下層板２２上方の前後には中央が固定空間を形成した上、下スリーブブロック２１１、２２１が設けられ、これらの内、外部スプリング２３、２４はそれぞれ上、下スリーブブロック２１１、２２１の固定空間および外側に設けられる。靴本体の内底部に設けられた緩衝器２を種々の異なる反力に応じて異なる高さの昇降をさせ、異なる圧力をすぐに分散・吸収し、靴の中の底部に空気対流を発生させる。【選択図】図１
0003205416.tif 000002
【実用新案登録請求の範囲】
【請求項１】
靴の中の底部防振減圧緩衝構造であって、
底部に凹部が設けられる靴本体と、
靴本体の内底部の凹部に設けられ、上層板と、下層板と、複数の内部スプリングと、複数の外部スプリングとを含む緩衝器と、を具備し、
ここで、
上層板は、その下方中央に上接続ブロックが設けられ、その前後それぞれには中央が固定空間を形成した上スリーブブロックが複数設けられ、
下層板は上層板の下方に設けられ、その上方中央に上層板の上接続ブロックに対応する下接続ブロックが設けられ、その前後にそれぞれ上層板の上スリーブブロックに対応する、中央が固定空間を形成した下スリーブブロックが複数設けられ、
複数の内部スプリングは、上層板および下層板における対応する上スリーブブロックおよび下スリーブブロックの固定空間内に設けられ、
複数の外部スプリングは上層板および下層板における対応する上スリーブブロックおよび下スリーブブロックの外側に設けられることを特徴とする靴の中の底部防振減圧緩衝構造。
【請求項２】
緩衝器の上方には透孔付きのクッションが付設されることを特徴とする請求項１に記載の靴の中の底部防振減圧緩衝構造。
【請求項３】
上層板には複数の透孔が設けられることを特徴とする請求項１または２に記載の靴の中の底部防振減圧緩衝構造。
【請求項４】
下層板には複数の透孔が付設されることを特徴とする請求項１または２に記載の靴の中の底部防振減圧緩衝構造。
【請求項５】
下層板には複数の透孔が付設されることを特徴とする請求項３に記載の靴の中の底部防振減圧緩衝構造。
【請求項６】
上層板の上スリーブブロックの形状は、円柱形状または円弧形状、または均等な機能を有する形状を呈することを特徴とする請求項１または２に記載の靴の中の底部防振減圧緩衝構造。
【請求項７】
上層板の上スリーブブロックの形状は円柱形状または円弧形状、または均等な機能を有する形状を呈することを特徴とする請求項３に記載の靴の中の底部防振減圧緩衝構造。
【請求項８】
上層板の上スリーブブロックの形状は、円柱形状または円弧形状、または均等な機能を有する形状を呈することを特徴とする請求項４に記載の靴の中の底部防振減圧緩衝構造。
【請求項９】
上層板の上スリーブブロックの形状は円柱形状または円弧形状、または均等な機能を有する形状を呈することを特徴とする請求項５に記載の靴の中の底部防振減圧緩衝構造。
【請求項１０】
下層板の下スリーブブロックの形状は円柱形状または円弧形状、または均等な機能を有する形状を呈することを特徴とする請求項９に記載の靴の中の底部防振減圧緩衝構造。
【考案の詳細な説明】
【技術分野】
【０００１】
本考案は緩衝構造に関するものであり、特に、靴本体の内底部に設けられる緩衝器を、種々の異なる反力に応じて異なる高さの昇降をし、かつ足部前後の歩行、ランニング、ジャンピングの時に受けた種々の異なる圧力をすぐに分散・吸収し、かつ靴の中の底部において空気対流を発生させる靴の中の底部防振減圧緩衝構造に関する。
【背景技術】
【０００２】
一般的に、人々は、足部が傷害を受けないために靴を履いて保護するが、体自体の重量のため、歩行や、ランニング、ジャンピングする時、地面との反力の関係で、足部から膝まで伝送した力が一倍乃至数倍になる。しかしながら、従来の靴構造において、着装時での快適性および柔軟性の目的を達成するために、せいぜい靴の中の底部にクッションをおくだけであり、使用者が靴を履いた時、靴底が圧縮できない構造であるため、歩行、ランニング、ジャンピングの時、靴底がその受けた力とともに上下に調整されることができず、地面から発生した反力が分散・吸収されることができないので、緩衝性および保護性を有するとは言えず、当該反力が足部から膝まで直接的に伝送して厳重な傷害が引き起こされる。その後エアクッションソールが発明されたが、エアクッションソール構造は空気で満たされた気室だけであり、小さい石または他の異物によって割られると、２つの靴がその機能を失ってしまう。また、この構造の靴底は足部から加えた力を受けた時、その高さも固定であり圧縮されることができず、靴底が足部が受けた種々の異なる反力に応じて異なる調整をされることができず、靴底が種々の異なる反力を受けた時、靴が分散・吸収することできないので、足部および膝が衝撃を受けて損傷しやすい。また、従来の靴の中の底部はいずれも空気対流を発生することができず、足部の熱気が外界と空気対流を発生することができず、風通しが悪く、臭気を発生しやすく、その実用性が悪化し、これは当業者および消費者が一番改善したいところである。本発明者らは、これを考慮し、靴本体の内底部に設けられた緩衝器を、種々の異なる反力に応じて異なる高さの昇降をし、足部前後の歩行、ランニング、ジャンピングの時に受けた種々の異なる圧力をすぐに分散させ、吸収し、靴の中の底部を空気対流を発生させ、その防振減圧緩衝および靴本体の着装時での快適性および通気性を有効に向上させる。
【考案の概要】
【考案が解決しようとする課題】
【０００３】
従来技術の不足を解決するために、本考案の主な目的は、靴の中の底部防振減圧緩衝構造を提供し、靴本体の内底部に設けられた緩衝器を、種々の異なる反力に応じて異なる高さの昇降をし、従来技術の問題を解決する。
【０００４】
本考案の副次的な目的は、靴の中の底部防振減圧緩衝構造を提供し、それが足部前後の歩行、ランニング、ジャンピングの時に受けた種々の異なる圧力をすぐ分散・吸収することができることである。
本考案の他の目的は、靴の中の底部防振減圧緩衝構造を提供し、靴の中の底部を空気対流を発生させることである。
本考案のもう一つの目的は、靴の中の底部防振減圧緩衝構造を提供し、その防振減圧緩衝および靴本体の着装時での快適性および通気性を有効に向上させることである。
【課題を解決するための手段】
【０００５】
本考案が解決しようとする問題は以下の通りである。一般的に、人々は、足部が傷害を受けないために、靴を履いて保護するが、体自体のは重量を有するため、歩行や、ランニング、ジャンピングする時、地面との反力の関係で、足部から膝まで伝送した力が一倍乃至数倍になる。しかしながら、従来の靴構造において、着装時での快適性および柔軟性を達成するために、せいぜい靴の中の底部にクッションをおくだけであり、使用者が靴を履いた時、靴底が圧縮できない構造であるため、歩行、ランニング、ジャンピングの時、靴底がその受けた力とともに上下に調整されることができず、地面から発生した反力が分散・吸収されることができないので、緩衝性および保護性を有するとは言えず、当該反力が直接に足部から膝まで伝送して厳重な傷害が引き起こされる。エアクッションソールが発明されたが、エアクッションソール構造は空気で満たされた気室だけであり、小さい石または他の異物によって割られると、２つの靴がその機能を失ってしまう。また、この構造の靴底は足部から加えた力を受けた時、その高さも固定で圧縮することができず、靴底が足部が受けた異なる反力とともに異なる調整をすることができず、靴底が種々の異なる反力を受けた時、靴が分散・吸収することできないため、足部および膝が衝撃を受けて損傷しやすく、また、従来の靴の中の底部は空気対流を発生することができず、足部の熱気が外界と空気対流を発生することができず、風通しが悪く、臭気を発生しやすく、その実用性が悪化する。
【０００６】
前記目的を達成するために、本考案は、靴の中の底部防振減圧緩衝構造を提供する。内底部に凹部が設けられる靴本体と、緩衝器と、を具備し、
前記緩衝器は靴本体の内底部の凹部に設けられかつ上層板と下層板と複数の内部スプリングと複数の外部スプリングとを含み、
ここで、上層板は、その下方中央に上接続ブロックが設けられ、その前後それぞれには中央が固定空間を形成した上スリーブブロックが複数設けられ、
下層板は上層板の下方に設けられ、その上方中央に上層板の上接続ブロックに対応する下接続ブロックが設けられ、その前後にそれぞれ上層板の上スリーブブロックに対応する、中央が固定空間を形成した下スリーブブロックが複数設けられ、
複数の内部スプリングは、上層板および下層板における対応する上スリーブブロックおよび下スリーブブロックの固定空間内に設けられ、
複数の外部スプリングは上層板および下層板における対応する上スリーブブロックおよび下スリーブブロックの外側に設けられる。
【０００７】
さらに、本考案は前記上層板には複数の透孔が設けられる。
本考案の上層板の上スリーブブロックの形状は円柱形状または円弧形状、または同様な機能を有する形状を呈することが好ましい。
さらに、本考案の下層板には複数の透孔が設けられる。
本考案の下層板の下スリーブブロックの形状は円柱形状または円弧形状、または同様な機能を有する形状を呈することが好ましい。
さらに、本考案の緩衝器の上方には透孔付けのクッションが設けられる。
【考案の効果】
【０００８】
この構造のもとに、靴本体の内底部に設けられた緩衝器を、異なる反力に対して異なる高さの昇降をし、かつ足部前後の歩行、ランニング、ジャンピングの時に受けた異なる圧力をすぐに分散・吸収し、靴の中の底部を空気対流を発生させ、その防振減圧緩衝および靴本体の着装時での快適性および通気性を有効的に向上させる。
【図面の簡単な説明】
【０００９】
【図１】本考案の立体分解図である。
【図２】本考案の立体組合せ図。
【図３】本考案の組合せ断面図。
【図４】本考案の緩衝器にクッションが付加された実施例図。
【図５】本考案は足部と作用する実施例図（一）。
【図６】本考案は足部と作用する実施例図（二）。
【図７】本考案は足部と作用する実施例図（三）。
【考案を実施するための形態】
【００１０】
本考案の特徴、内容、利点およびその達成可能な効果を理解しやすいために、本考案は、図面を参照し、実施例の実施形態を詳細に説明し、本文において使用した図面は例示・説明書を補助するに過ぎず、必ずしも本考案の実施後の実際な比例及び精確な配置ではなく、付加の図面の比例及び配置関係により本考案の保護範囲が限定されない。
【００１１】
図１、図２、図３および図４に示すように、本考案の立体分解図、立体組合せ図、組合せ断面図および緩衝器にクッションが付加された実施例図であり、本考案の靴の中の底部防振減圧緩衝構造は、２つの最適な実施例において靴本体１と、緩衝器２と、を含む。
前記靴本体１は、その内底部１１には一凹部１１１が設けられる。
【００１２】
前記緩衝器２は、靴本体１の内底部１１の凹部１１１に設けられ、当該緩衝器２が上層板２１と、下層板２２と、複数の内部スプリング２３と、複数の外部スプリング２４とを含み、上層板２１はその下方中央に上接続ブロック２１０が設けられ、その前後にそれぞれ複数の中央が固定空間２１１０を形成した上スリーブブロック２１１が設けられ、さらに、本考案の上層板２１には複数の透孔２１２が設けられ、本考案の上層板２１の上スリーブブロック２１１の形状が円柱形状や円弧形状に呈することが好ましいが、本考案はこれに限定されず、同じ機能の形状であっでもよく、本考案の保護範囲に属し、下層板２２は上層板２の下方に設けられ、その上方中央には上層板２１の上接続ブロック２１０に対応した下接続ブロック２２０が設けられ、その前後にそれぞれ上層板２１の上スリーブブロック２１１に対応した、複数の中央が固定空間２２１０を形成した下スリーブブロック２２１が設けられ、さらに、本考案の下層板２２には複数の透孔２２２が設けられ、本考案の下スリーブブロック２２１の形状が円柱形状や円弧形状に呈することが好ましいが、本考案はこれに限定されず、同じ機能の形状であっでもよく、本考案の保護範囲に属し、複数の内部スプリング２３は上層板２１および下層板２２の対応した上スリーブブロック２１１および下スリーブブロック２２１の固定空間２１１０、２２１０内に設けられ、複数の外部スプリング２４は上層板２１および下層板２２の対応した上スリーブブロック２１１および下スリーブブロック２２１の外側に設けられる。本考案は、種々の異なる力に応じて異なる機能を発揮するために、当該複数の内部スプリング２３の直径が複数の外部スプリング２４より小さく、複数の内部スプリング２３の線径が複数の外部スプリング２４より小さく、複数の内部スプリング２３のコイル数が複数の外部スプリング２４より多く、さらに、本考案の緩衝器２の上方には(図４に示すように）透孔３１付きのクッション３が設けられる。
【００１３】
図５、図６、図７に示すように、本考案は足部と作用する実施例図（一）、本考案は足部と作用する実施例図（二）、本考案は足部と作用する実施例図(三）であり、本考案の組み立ては簡単、容易であり、緩衝器２を靴本体１の内底部１１の凹部１１１に置ければよく、また、凹部１１１が靴本体１の内底部１１に設けられ、かつ緩衝器２がその内に位置し、当該靴本体１の外部から見えないので、外観が影響を受けない。使用する時に、足部４が緩衝器２上方の上層板２１(図１乃至図３および図５に示すように）またはその上に付設したクッション３(図４に示すように）を直接に踏むだけでよく、足部４の前段が力を受けた時（図６に示すように）に、上層板２１前段を下へ圧縮させ、この時、受けた反力の大きさに従い、まず比較的小さい反力によって、線径がより小さく、コイル数がより多く、かつ直径がより小さい複数の内部スプリング２３から圧縮作用が発生し、一定の程度まで圧縮される場合、同様に圧縮されて線径がより大きく、コイル数がより少なくかつ直径がより大きい複数の外部スプリング２４は比較的大きな作用力を生じさせ、かつ圧縮された内部スプリング２３とともに作用して強い緩衝を生じさせる。従って、それによって、種々の異なる段階に発生した異なる反力が随時に調整され、足部４の後段が力を受けた時、同様に上層板２１後段を下へ圧縮し(図７に示すように）、その構造の作用が図６と同じであり、また、本考案の緩衝器２が動作する時、上層板２１および下層板２２には透孔２１２、２２２が付設され、緩衝器２が昇降圧縮を発生した時、（図５、図６、図７に示すように）靴１に空気対流を発生させる。
【００１４】
この構造のもとに、靴本体１の内底部１１に設けられた緩衝器２を、種々の異なる反力に応じて異なる高さの昇降をし、かつ足部４前後の歩行、ランニング、ジャンピングの時に受けた異なる圧力をすぐに分散・吸収し、靴の中の底部１１を空気対流を発生させ、その防振減圧緩衝および靴本体１の着装時の快適性および通気性を有効に向上させる。上述のように、本考案は従来技術の構造をブレークスルー（Breakthrough）した上で、強化したい効果を確実に達成し、かつ当業者が容易に想到できるものではない。
【００１５】
上記実施例は、本考案の技術思想および特徴を説明するためのものに過ぎず、その目的は当業者が本考案の内容を理解して実施することができることであり、本考案の保護範囲はこれにより限定されず、本発明の要旨を逸脱しない範囲で、種々の省略、置き換え、変更を行うことができる。これらの均等とする変形や修正は、本考案の請求範囲に含まれる。
【符号の説明】
【００１６】
１...靴本体
１１...内底部
１１１...凹部
２...緩衝器
２１...上層板
２１０...上接続ブロック
２１１...上スリーブブロック
２１１０...固定空間
２１２...透孔
２２...下層板
２２０...下接続ブロック
２２１...下スリーブブロック
２２１０...固定空間
２２２...透孔
２３...内部スプリング
２４...外部スプリング
３...クッション
３１...透孔
４...足部
【図１】
0003205416.tif 000003
【図２】
0003205416.tif 000004
【図３】
0003205416.tif 000005
【図４】
0003205416.tif 000006
【図５】
0003205416.tif 000007
【図６】
0003205416.tif 000008
【図７】
0003205416.tif 000009